(57)【要約】【課題】本発明は、Ｍａｓｔｅｒ−ｓｌａｖｅ方式を採用する大規模な周波数同期網において、任意の区間を任意の品質判定方式で監視できる品質管理方法を低コストで実現することである。【解決手段】本願発明のクロック品質管理システムは、複数のノード１０と通信網管理装置２０を備え、複数のノード１０は、挿入点Ｓと、受信点Ｒと、抽出点Ｅと、折り返し点Ｌと、中継点Ｆと、送信点Ｔと、これら各機能部の動作を制御する制御機能部１７と、を備え、通信網管理装置２０は、設定された監視区間に応じて、各ノードの各機能部の動作の有無を設定する。【選択図】図１
2014060539.tif 000002
【特許請求の範囲】
【請求項１】
複数のノードが通信路で接続された通信網において、外部クロック信号源から配信されたクロック信号を用いてノード間のクロック同期を行うクロック品質管理システムであって、
前記複数のノードは、
クロック信号が挿入される挿入部と、
通信路からクロック信号を受信する受信部と、
前記受信部の受信したクロック信号を抽出する抽出部と、
前記受信部の受信したクロック信号を、当該受信部の接続されている通信路とは異なる通信路に向けて送信可能な送信部に送信させる中継部と、
前記挿入部又は前記中継部からのクロック信号を、通信路へ送信する送信部と、
前記挿入部、前記受信部、前記抽出部、前記中継部及び前記送信部の動作の有無を制御する制御機能部と、を備え、
設定された監視区間に応じて、各ノードの前記挿入部、前記受信部、前記抽出部、前記中継部及び前記送信部の動作の有無を設定し、各ノードの前記制御機能部へ通知する通信網管理装置を備えるクロック品質管理システム。
【請求項２】
前記通信網管理装置は、監視項目、異常判定閾値及び監視時間を各ノードの前記制御機能部へ通知し、
前記抽出部は、通知された監視時間にわたってクロック信号を抽出し、
前記抽出部を動作させるノードの前記制御機能部は、抽出したクロック信号と同一ノード内の前記送信部から送信したクロック信号とを用いて、通知された監視項目に基づいて前記抽出部の抽出したクロック信号を監視し、前記抽出部の抽出したクロック信号が異常判定閾値に照らして異常である場合は異常である旨を前記通信網管理装置に通知する
ことを特徴とする請求項１に記載のクロック品質管理システム。
【請求項３】
前記通信網管理装置は、共通の外部クロック信号源から配信されたクロック信号を参照する領域であるクロックドメイン毎に監視区間を設定することを特徴とする請求項１又は２に記載のクロック品質管理システム。
【請求項４】
監視区間のノードはライン状の通信網を構成し、
前記複数のノードは、前記受信部の受信したクロック信号を、当該受信部の接続されている通信路に向けて送信可能な送信部に送信させる折り返し部を備え、
前記制御機能部は、前記折り返し部の動作の有無を制御し、
前記通信網管理装置は、さらに、監視区間のノードのうちの前記挿入部、前記中継部又は前記折り返し部として設定したノードの前記抽出部を動作させ、前記折り返し部の動作の有無を設定し、各ノードの前記制御機能部へ通知する
ことを特徴とする請求項１から３のいずれかに記載のクロック品質管理システム。
【請求項５】
前記通信網管理装置は、回線エミュレーション機能を備えるノードを、前記折り返し部に設定することを特徴とする請求項４に記載のクロック品質管理システム。
【請求項６】
監視区間のノードはリング状の通信網を構成し、
前記通信網管理装置は、さらに、監視区間のノードのうちの前記挿入部又は前記中継部として設定したノードの前記抽出部を動作させる
ことを特徴とする請求項１から５のいずれかに記載のクロック品質管理システム。
【請求項７】
前記監視区間は、ＩＴＵ−Ｔ  Ｙ．１７３１のＥｔｈｅｒｎｅｔ  ＯＡＭに基づいて定義することを特徴とする請求項１から６のいずれかに記載のクロック品質管理システム。
【請求項８】
複数のノードが通信路で接続された通信網において、共通の外部クロック信号源から配信されたクロック信号を用いてノード間のクロック同期を行うクロック同期網の品質監視方法であって、
前記通信網のうちの指定された監視区間に応じて、当該監視区間を構成するノードのうちのクロック信号を供給する始点ノードと、当該監視区間を構成するノードのうちのクロック信号を前記始点ノードに向けて折り返す終点ノードと、前記始点ノード及び前記終点ノードの間に接続され、クロック信号を中継する中継ノードと、前記始点ノード、前記中継ノード及び前記終点ノードのいずれかでありかつクロック信号を抽出する抽出ノードと、設定する設定手順と、
前記設定手順の設定に従って各ノードの動作を制御し、前記始点ノードにクロック信号を供給し、前記始点ノードに供給されたクロック信号を前記終点ノードで折り返し、前記終点ノードで折り返したクロック信号を前記抽出ノードから抽出するクロック供給状態測定手順と、を順に有し、
前記抽出ノードから抽出したクロック信号を用いて、当該監視区間におけるクロック品質を評価するクロック同期網の品質監視方法。
【請求項９】
複数のノードが通信路で接続された通信網において、共通の外部クロック信号源から配信されたクロック信号を用いてノード間のクロック同期を行うクロック品質管理システムに用いられるノードであって、
クロック信号が挿入される挿入部と、
通信路からクロック信号を受信する受信部と、
前記受信部の受信したクロック信号を抽出する抽出部と、
前記受信部の受信したクロック信号を、当該受信部の接続されている通信路に向けて送信可能な送信部に送信させる折り返し部と、
前記受信部の受信したクロック信号を、当該受信部の接続されている通信路とは異なる通信路に向けて送信可能な送信部に送信させる中継部と、
前記挿入部、前記折り返し部又は前記中継部からのクロック信号を、通信路へ送信する送信部と、
前記挿入部、前記受信部、前記抽出部、前記折り返し部、前記中継部及び前記送信部の動作の有無を制御する制御機能部と、を備えるノード。
【発明の詳細な説明】
【技術分野】
【０００１】
本発明は、高品質なクロック源から出力されるタイミング情報であるクロック信号を通信路により他ノードに配信、また他ノードから受信して、通信周波数をノード間で同期させて通信を行う同期通信網におけるクロック信号の配信の正常性の監視に関する技術である。
【背景技術】
【０００２】
３Ｇ，４Ｇ等の移動通信システムの基地局間を接続して基地局間あるいは基地局とコアネットワーク間でトラフィックを転送する通信網であるモバイルバックホールにおいては、接続される基地局の動作周波数を高い精度で同期する必要がある。この周波数同期を実現するための代表的手段の一つとして、高精度のクロック源からのクロック信号を、通信網を介して通信網を構成する各ノードに対して配信することで、各ノードの周波数を同期させる網同期方法が利用されている。
【０００３】
たとえば、網同期方式の内、ｍａｓｔｅｒ−ｓｌａｖｅ同期方式（非特許参考文献  ＩＴＵ−Ｔ  Ｇ．８１０）は、高性能なクロック源（ＰＲＣ：Ｐｒｉｍａｒｙ  ｒｅｆｅｒｅｎｃｅ  ｃｌｏｃｋ）を備えたマスターノードに網内のノードが直接接続することでそのクロック信号に対して従属して同期、もしくは、さらに多段のノードを経て接続することにより間接的に従属して同期することによって、ＰＲＣから同期が必要な各ノードまで、通信路を辿ることによりクロック信号が供給できる枠組みである。また、このＭａｓｔｅｒ−ｓｌａｖｅ方式では、ＰＲＣからの接続段数により階層的にクロック品質レベルが定義されている。
【０００４】
実際の同期通信網の運用においては、正常な通信の継続性を担保するために、このようなクロック信号の供給状況が期待した品質で行われているか常時監視する必要性がある。
【０００５】
一般的にクロック信号の品質を判定するためには、評価対象のクロック信号の他に比較対象とするクロック信号が必要となる。Ｍａｓｔｅｒ−ｓｌａｖｅ方式においても、同期網において、クロック信号を受信したスレーブ装置側で品質を判定するためには、スレーブ装置側が判定すべき品質のレベルに対応した品質を有する参照クロック信号を保持する必要がある。例えば、スレーブ装置側で、高精度なクロック信号の発振装置を品質判定用に実装する方法などがある。ただし、高い精度で周波数同期の品質管理を行うためでは、それに見合う高精度な発振装置を用意する必要があり、発振装置は精度に応じて高価となるため、通信網中に多数存在するスレーブ装置それぞれへの実装は通信網のコストの大幅な増加の要因となる。
【０００６】
また、品質情報をスレーブ装置等の他ノードに通知する方法としてはＩＴＵ−Ｔ  Ｇ．７８１に規定される品質レベルを各スレーブ装置が判定し、従属する下位の他のノードに対してＧ．７０４規定のＳＳＭ（Ｓｙｎｃｈｒｏｎｏｕｓ  Ｓｔａｔｕｓ  Ｍｅｓｓａｇｅ）によって品質を通知する仕組みが存在する。ただし、ＳＳＭは、マスター装置側においてスレーブに送信するクロック品質レベルをスレーブ装置へ通知する手段であり、スレーブでのクロック信号受信状況をマスター側に通知するためには、装置の監視制御網等により、マスター装置に対しての制御メッセージ送信手段と、それを実現する独自規格の制御機能を実装する必要があった。また、Ｇ．７８１は信号の品質判定を通信網全体でかつ統一的な判定基準で行うものであった。しかし、大規模な通信網である場合、網全体を統一的な監視するだけでなく、任意の特定区間を任意の品質判定基準で監視する必要性が生じるが、このような監視方式は定義されていなかった。
【先行技術文献】
【非特許文献】
【０００７】
【非特許文献１】ＩＴＵ−Ｔ  Ｇ．８１０
【非特許文献２】ＩＴＵ−Ｔ  Ｇ．７８１
【非特許文献３】ＩＴＵ−Ｔ  Ｇ．７０４
【非特許文献４】ＩＴＵ−Ｔ  Ｙ．１７３１
【発明の概要】
【発明が解決しようとする課題】
【０００８】
本発明の目的は、Ｍａｓｔｅｒ−ｓｌａｖｅ方式を採用する大規模な周波数同期網において、任意の区間を任意の品質判定方式で監視できる品質管理方法を低コストで実現することである。
【課題を解決するための手段】
【０００９】
本願発明のクロック品質管理システムは、複数のノードが通信路で接続された通信網において、外部クロック信号源から配信されたクロック信号を用いてノード間のクロック同期を行うクロック品質管理システムであって、前記複数のノードは、クロック信号が挿入される挿入部と、通信路からクロック信号を受信する受信部と、前記受信部の受信したクロック信号を抽出する抽出部と、前記受信部の受信したクロック信号を、当該受信部の接続されている通信路とは異なる通信路に向けて送信可能な送信部に送信させる中継部と、前記挿入部又は前記中継部からのクロック信号を、通信路へ送信する送信部と、前記挿入部、前記受信部、前記抽出部、前記中継部及び前記送信部の動作の有無を制御する制御機能部と、を備え、設定された監視区間に応じて、各ノードの前記挿入部、前記受信部、前記抽出部、前記中継部及び前記送信部の動作の有無を設定し、各ノードの前記制御機能部へ通知する通信網管理装置を備える。
【００１０】
本願発明のクロック品質管理システムでは、前記通信網管理装置は、監視項目、異常判定閾値及び監視時間を各ノードの前記制御機能部へ通知し、前記抽出部は、通知された監視時間にわたってクロック信号を抽出し、前記抽出部を動作させるノードの前記制御機能部は、抽出したクロック信号と同一ノード内の前記送信部から送信したクロック信号とを用いて、通知された監視項目に基づいて前記抽出部の抽出したクロック信号を監視し、前記抽出部の抽出したクロック信号が異常判定閾値に照らして異常である場合は異常である旨を前記通信網管理装置に通知してもよい。
【００１１】
本願発明のクロック品質管理システムでは、前記通信網管理装置は、共通の外部クロック信号源から配信されたクロック信号を参照する領域であるクロックドメイン毎に監視区間を設定してもよい。
【００１２】
本願発明のクロック品質管理システムでは、監視区間のノードはライン状の通信網を構成し、前記複数のノードは、前記受信部の受信したクロック信号を、当該受信部の接続されている通信路に向けて送信可能な送信部に送信させる折り返し部を備え、前記制御機能部は、前記折り返し部の動作の有無を制御し、前記通信網管理装置は、さらに、監視区間のノードのうちの前記挿入部、前記中継部又は前記折り返し部として設定したノードの前記抽出部を動作させ、前記折り返し部の動作の有無を設定し、各ノードの前記制御機能部へ通知してもよい。
【００１３】
本願発明のクロック品質管理システムでは、前記通信網管理装置は、回線エミュレーション機能を備えるノードを、前記折り返し部に設定してもよい。
【００１４】
本願発明のクロック品質管理システムでは、監視区間のノードはリング状の通信網を構成し、前記通信網管理装置は、さらに、監視区間のノードのうちの前記挿入部又は前記中継部として設定したノードの前記抽出部を動作させてもよい。
【００１５】
本願発明のクロック品質管理システムでは、前記監視区間は、ＩＴＵ−Ｔ  Ｙ．１７３１のＥｔｈｅｒｎｅｔ（登録商標）  ＯＡＭに基づいて定義してもよい。
【００１６】
本願発明のクロック同期網の品質監視方法は、複数のノードが通信路で接続された通信網において、共通の外部クロック信号源から配信されたクロック信号を用いてノード間のクロック同期を行うクロック同期網の品質監視方法であって、前記通信網のうちの指定された監視区間に応じて、当該監視区間を構成するノードのうちのクロック信号を供給する始点ノードと、当該監視区間を構成するノードのうちのクロック信号を前記始点ノードに向けて折り返す終点ノードと、前記始点ノード及び前記終点ノードの間に接続され、クロック信号を中継する中継ノードと、前記始点ノード、前記中継ノード及び前記終点ノードのいずれかでありかつクロック信号を抽出する抽出ノードと、設定する設定手順と、前記設定手順の設定に従って各ノードの動作を制御し、前記始点ノードにクロック信号を供給し、前記始点ノードに供給されたクロック信号を前記終点ノードで折り返し、前記終点ノードで折り返したクロック信号を前記抽出ノードから抽出するクロック供給状態測定手順と、を順に有し、前記抽出ノードから抽出したクロック信号を用いて、当該監視区間におけるクロック品質を評価する。
【００１７】
本願発明のノードは、複数のノードが通信路で接続された通信網において、共通の外部クロック信号源から配信されたクロック信号を用いてノード間のクロック同期を行うクロック品質管理システムに用いられるノードであって、クロック信号が挿入される挿入部と、通信路からクロック信号を受信する受信部と、前記受信部の受信したクロック信号を抽出する抽出部と、前記受信部の受信したクロック信号を、当該受信部の接続されている通信路に向けて送信可能な送信部に送信させる折り返し部と、前記受信部の受信したクロック信号を、当該受信部の接続されている通信路とは異なる通信路に向けて送信可能な送信部に送信させる中継部と、前記挿入部、前記折り返し部又は前記中継部からのクロック信号を、通信路へ送信する送信部と、前記挿入部、前記受信部、前記抽出部、前記折り返し部、前記中継部及び前記送信部の動作の有無を制御する制御機能部と、を備える。
【００１８】
なお、上記各発明は、可能な限り組み合わせることができる。
【発明の効果】
【００１９】
本発明によれば、Ｍａｓｔｅｒ−ｓｌａｖｅ方式を採用する大規模な周波数同期網において、任意の区間を任意の品質判定方式で監視できる品質管理方法を低コストで実現することができる。
【図面の簡単な説明】
【００２０】
【図１】本実施形態に係るクロック同期網の品質監視方法の一例を示すフロー図である。
【図２】本実施形態に係るクロック品質管理システムの原理の一例を示す説明図である。
【図３】本実施形態に係るノードの一例を示す。
【図４】実施形態１の通信網の一例を示す。
【図５】送信点Ｔ、受信点Ｒ、挿入点Ｓ及び抽出点Ｅの定義の一例を示す。
【図６】中継点Ｆ及び折り返し点Ｌの定義の一例を示す。
【図７】各ノードの制御監視点の一例を示す。
【図８】実施形態１の監視区間の設定例を示す。
【図９】監視区間とそれに属する制御監視点の一例を示す。
【図１０】実施形態１におけるクロック信号の供給ルートの一例を示す。
【図１１】監視区間＃１に属する制御監視点の設定例を示す。
【図１２】監視区間＃２に属する制御監視点の設定例を示す。
【図１３】監視区間＃３に属する制御監視点の設定例を示す。
【図１４】監視準備状態の設定シーケンスの第１例を示す。
【図１５】監視準備状態の設定シーケンスの第２例を示す。
【図１６】実施形態２に係る監視区間の設定例を示す。
【図１７】実施形態２に係る監視区間＃４に属する制御監視点の設定例を示す。
【図１８】実施形態２におけるノード＃２で折り返す場合の監視準備状態の設定例である。
【図１９】実施形態２におけるノード＃３で折り返す場合の監視準備状態の設定例である。
【図２０】実施形態２におけるノード＃４で折り返す場合の監視準備状態の設定例である。
【図２１】実施形態２におけるノード＃２で折り返す場合のクロック信号の供給ルートの一例を示す。
【図２２】実施形態２におけるノード＃３で折り返す場合のクロック信号の供給ルートの一例を示す。
【図２３】実施形態２におけるノード＃４で折り返す場合のクロック信号の供給ルートの一例を示す。
【図２４】実施形態３に係る監視区間の設定例を示す。
【図２５】実施形態３におけるクロック信号の供給ルートの一例を示す。
【図２６】実施形態４に係る通信網の一例を示す。
【図２７】実施形態４におけるクロック信号の供給ルートの一例を示す。
【図２８】実施形態５に係る通信網の一例を示す。
【図２９】実施形態５におけるクロック信号の供給ルートの一例を示す。
【図３０】実施形態６に係るクロック品質管理システムの一例を示す。
【発明を実施するための形態】
【００２１】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００２２】
本実施形態に係るクロック品質管理システム及びクロック同期網の品質監視方法は、Ｍａｓｔｅｒ−Ｓｌａｖｅ方式によりクロック信号を網内に供給することにより周波数同期または時刻クロック同期を行う通信網において、品質監視を行う区間を任意に設定し、設定した監視区間で指定した品質パラメータの品質監視を行う、クロック信号供給の品質管理を行う。
【００２３】
図１に発明のクロック同期網の品質監視方法の概要を示す。本発明のクロック同期網の品質監視方法は、設定手順と、クロック供給状態測定手順と、を順に有し具体的には以下のステップからなる。
ステップＳ１０１では、クロック信号供給品質の監視区間、監視項目、異常判定閾値、監視時間を決定する。
設定手順では、ステップＳ１０２〜Ｓ１０４を実行する。
ステップＳ１０２では、監視区間の始点ノードに対して、クロック信号挿入、受信クロック信号抽出の実行設定を行う。
ステップＳ１０３では、監視区間の中継ノードに対して、受信クロック信号の転送の実行設定を行う。
ステップＳ１０４では、監視区間の終点ノードに対して、受信クロック信号の折り返し送信の実行設定を行う。
クロック供給状態測定手順では、ステップＳ１０５及びＳ１０６を実行する。
ステップＳ１０５では、監視区間の始点ノードにて挿入したクロック信号、および終点ノードから折り返され始点ノードで受信・抽出されたクロック信号について、指定された監視項目を指定された監視時間測定し比較する。
ステップＳ１０６では、比較結果を通信網管理装置２０に通知する。
なお、ステップＳ１０２からステップＳ１０３は順不同でよい。
【００２４】
また、本発明のクロック同期網の品質監視方法を実施する機能を備えたクロック品質管理システムの一例を図２に示す。
本実施形態に係るクロック品質管理システムは、外部クロック信号源（不図示）と、ノード１０とそれを接続する通信路と、ノード１０を管理制御する通信網管理装置２０からなる。
【００２５】
ノード１０は、制御機能部１７を備え、制御機能部１７の制御機能により管理され、一連の装置制御操作を実施させる論理的操作対象である制御監視点を一つ以上備える。制御監視点は、挿入部として機能する挿入点Ｓ、抽出部として機能する抽出点Ｅ、送信部として機能する送信点Ｔ、受信部として機能する受信点Ｒ、中継部として機能する中継点Ｆ及び折り返し部として機能する折り返し点Ｌのいずれかである。各機能部の概要を以下に説明する。
【００２６】
制御機能部１７は、ノード１０の各部を制御する機能部である。また、挿入点Ｓが挿入するクロック信号と抽出点Ｅが抽出するクロック信号を指定された監視項目を指定された監視時間測定して比較し、結果を通信網管理装置２０に通知する機能を備える。このとき、制御機能部１７に異常判定閾値が通知されている場合は、抽出点Ｅの抽出したクロック信号が異常判定閾値に照らして異常である場合は異常である旨を通信網管理装置２０に通知する。
【００２７】
挿入点Ｓは、クロック信号を送信点Ｔに対して挿入する一連の装置動作を実行、または実行解除する機能部である。
抽出点Ｅは、受信点Ｒで受信したクロック信号を抽出する一連の装置動作を実行、または実行解除する機能部である。
送信点Ｔは、論理データを転送する物理信号を送信、物理信号にクロック信号を重畳して、クロック信号とデータ信号を転送信する機能部である。接続される通信路毎に送信点Ｔが設けられる。
受信点Ｒは、論理データを運ぶ物理信号、および物理信号に重畳されたクロック信号を受信可能な機能部である。接続される通信路毎に受信点Ｒが設けられる。
中継点Ｆは、受信点Ｒで通信路から受信した物理信号、およびクロック信号を受信通信路とは別の方路（別の対向ノード）の通信路に対して接続される送信点Ｔに中継する動作を実行するもしくは実行解除する機能部である。
折り返し点Ｌは、受信点Ｒで通信路から受信した物理信号、およびクロック信号を受信通信路と同じ方路（同じ対向ノード）の通信路に対して接続される送信点Ｔに折り返し接続する動作を実行するもしくは実行解除する機能部である。
【００２８】
ノード１０は、コンピュータをこれらの機能部として機能させるためのクロック同期プログラムを用いて実現してもよい。
【００２９】
また、各ノード１０の各機能部は、通信網管理装置２０において、一意に特定可能な識別子を与えられ管理される。また、通信網管理装置２０は、品質管理区間を上記ノード１０の機能部をグループ化することで定義できる。その際、同一監視区間に定められた機能部には、同一のグループ識別子が付与される。また、同一グループに属した送信点Ｔ、受信点Ｒなどの各制御監視点には監視区間内での役割に応じて属性情報が与えられて管理され、属性情報に応じた装置制御が行われる。監視区間の始点となる送信点Ｔ及び受信点Ｒには「始点監視点」、監視区間の終点となる送信点Ｔ及び受信点Ｒには「終点監視点」、監視区間の始点及び終点以外の中間点となる送信点Ｔ及び受信点Ｒには「中継監視点」の属性情報が与えられる。また、この同一グループ内の属性毎にさらに識別子を与えても良い。
【００３０】
図２において、ノード＃１の挿入点Ｓから通信路＃１、通信路＃２、通信路＃３を介してノード＃４まで送信されるクロック信号を監視区間［ノード＃１］−［ノード＃２］−［ノード＃３］−［ノード＃４］で監視する場合の動作例を説明する。
【００３１】
本発明のクロック同期網の品質監視方法では、まず、監視区間の定義と設定を行い、その後、ノード１０を監視準備状態とし、さらにその後、指定されたタイミングで、品質指標の測定を実行する手順を踏む。なお、監視準備状態は省略し直接実行のステップに進む手順もしくは、監視準備状態の設定と実行を同時に行う手順とすることもできる。
【００３２】
通信網管理装置２０において、［ノード＃１］−［ノード＃２］−［ノード＃３］−［ノード＃４］の区間が監視区間として定義され、ノード＃１、ノード＃２、ノード＃３、ノード＃４の監視に必要となる以下の機能部に監視区間と対応したグループＩＤが付与される。
ノード＃１には、
・通信路＃１と接続される送信点Ｔ、およびそれに接続される挿入点Ｓ、並びに、
・通信路＃６と接続される受信点Ｒ、およびそれに接続される抽出点Ｅ、
に監視区間と対応したグループＩＤが付与される。
ノード＃２には、
・通信路＃１と接続される受信点Ｒ、
・通信路＃２と接続される送信点Ｔ、
・通信路＃１と接続される受信点Ｒと通信路＃２と接続される送信点Ｔを中継する中継点Ｆ、
・通信路＃６と接続される送信点Ｔ、
・通信路＃５と接続される受信点Ｒ、並びに、
・通信路＃６と接続される送信点Ｔと通信路＃５と接続される受信点Ｒを中継する中継点Ｆ、
に監視区間と対応したグループＩＤが付与される。
ノード＃３には、
・通信路＃２と接続される受信点Ｒ、
・通信路＃３と接続される送信点Ｔ、
・通信路＃２と接続される受信点Ｒと通信路＃３と接続される送信点Ｔを中継する中継点Ｆ、
・通信路＃５と接続される送信点Ｔ、
・通信路＃４と接続される受信点Ｒ、
・通信路＃５と接続される送信点Ｔと通信路＃４と接続される受信点Ｒを中継する中継点Ｆ、
に監視区間と対応したグループＩＤが付与される。
ノード＃４には、
・通信路＃３と接続される受信点Ｒ、
・通信路＃４と接続される送信点Ｔ、並びに、
・通信路＃３と接続される受信点Ｒと、通信路＃４と接続される送信点Ｔを接続する折り返し点Ｌ、
に監視区間と対応したグループＩＤが付与される。
【００３３】
また、以下の機能部は属性情報として「始点監視点」が与えられる。また同一監視区間で「始点監視点」と属性付与された機能部群に識別子を付与することもできる。
本実施形態では、例えば、
ノード＃１における、
・通信路＃１と接続される送信点Ｔ、およびそれに接続される挿入点Ｓ、並びに、
・通信路＃６と接続される受信点Ｒ、およびそれに接続される抽出点Ｅ、
である。
【００３４】
また、以下の機能部は属性情報として「中継監視点」が与えられる。また同一監視区間で「中継監視点」と属性付与された機能部群に識別子を付与することもできる。
本実施形態では、例えば、
ノード＃２における、
・通信路＃１と接続される受信点Ｒ、
・通信路＃２と接続される送信点Ｔ、
・通信路＃１と接続される受信点Ｒと通信路＃２と接続される送信点Ｔを中継する中継点Ｆ、
・通信路＃６と接続される送信点Ｔ、
・通信路＃５と接続される受信点Ｒ、
・通信路＃６と接続される送信点Ｔと通信路＃５と接続される受信点Ｒを中継する中継点Ｆ、
ノード＃３における、
・通信路＃２と接続される受信点Ｒ、
・通信路＃３と接続される送信点Ｔ、
・通信路＃２と接続される受信点Ｒと通信路＃３と接続される送信点Ｔを中継する中継点Ｆ、
・通信路＃５と接続される送信点Ｔ、
・通信路＃４と接続される受信点Ｒ、
・通信路＃５と接続される送信点Ｔと通信路＃４と接続される受信点Ｒを中継する中継点Ｆ、
である。
【００３５】
また、以下の機能部は属性情報として「終点監視点」が与えられる。また同一監視区間で「終点監視点」と属性付与された機能部群に識別子を付与することもできる。
本実施形態では、例えば、
・通信路＃３と接続される受信点Ｒ、
・通信路＃４と接続される送信点Ｔ、
・通信路＃３と接続される受信点Ｒと通信路＃４と接続される送信点Ｔを接続する折り返し点Ｌ、である。
【００３６】
上記のように各装置の複数の機能部を同一監視区間でグループ化し、また監視制御上の属性情報を与えて管理することにより、各ノード１０の制御機能部が属性に応じて各個別の機能部に対する処理を行い、通信網管理装置２０は監視グループ毎、または属性毎の制御命令を各ノード１０の制御機能部１７に送信して制御することが可能になる。従って、ノード１０における実装ハードウェアに依存した制御は、制御機能部１７が行い、通信網管理装置２０は実装ハードウェアに依存せず、監視上の監視グループもしくは属性情報に応じた制御命令を各ノード１０に送り、通信網の監視制御が実行できるようになる。
【００３７】
通信網管理装置２０は、識別子で管理される監視区間毎に、以下の監視データを記憶管理する。
・監視品質指標
・品質観測時間
・異常通知／回復閾値
また、ノード１０からの自律警報を通信網管理装置２０に通知する場合は、上記項目を、「始点監視点」となる制御機能部１７を備えるノード１０の制御機能部１７にも記憶する。
【００３８】
測定に伴う各ノード１０の動作を以下に説明する。
クロック信号の供給状態を監視していない状態から監視を開始する場合、監視開始前の状態は以下の通りとする。
＜測定開始前＞（クロック信号の供給のみで折り返し監視を実行していない状態）
始点監視点の属性を付与されたノード＃１では、通信路＃１と接続される挿入点Ｓから、通信路＃１に接続される送信点Ｔに対してクロック信号が供給される。
中継監視点の属性を付与されたノード＃２では、通信路＃１と接続される受信点Ｒから通信路＃２と接続される送信点Ｔに対して、両者を結ぶ中継点Ｆによりクロック信号が通信路＃２に対して転送される。
中継監視点の属性を付与されたノード＃３では、通信路＃２と接続される受信点Ｒから通信路＃３と接続される送信点Ｔに対して、両者を結ぶ中継点Ｆによりクロック信号が通信路＃３に対して転送される。
終点監視点の属性を付与されたノード＃４では、通信路＃３と接続される受信点Ｒから受信したクロック信号を、さらに下流の他ノードに対して供給する。
【００３９】
前述のように監視区間の定義が設定された後、各ノード１０を監視準備状態に設定する。監視区間毎の監視準備設定トリガ（通信網管理装置２０から測定開始命令、もしくはコンソールからの入力された制御命令）により、各ノード１０に制御メッセージが送信され、各ノードの制御機能部１７が該当監視区間に属する各機能部を測定開始前の状態に加えてさらに以下のように動作させることにより、ノード＃１からノード＃４までのクロック信号共有状況の品質監視状態が設定される。この制御メッセージは通信網管理装置２０からそれぞれのノード１０に対して送信するか、もしくは、各ノード１０が通信路もしくは制御リンクを通じて、制御メッセージを自律的に交換することにより各ノードに送信される。
【００４０】
＜監視準備状態の設定動作＞（折り返し監視を実行に切り替える制御動作）
始点監視点の属性を付与されたノード＃１は、通信路＃６と接続される受信点Ｒが受信した信号から、通信路＃６に接続される抽出点Ｅがクロック信号を抽出し制御機能部１７に供給する。
中継監視点の属性を付与されたノード＃２は、通信路＃５と接続される受信点Ｒにて受信したクロック信号を、通信路＃６と接続される送信点Ｔに対して、両者に繋がる中継点Ｆが、クロック信号を通信路＃６に中継する。
中継監視点の属性を付与されたノード＃３は、通信路＃４と接続される受信点Ｒにて受信したクロック信号を、通信路＃５と接続される送信点Ｔに対して、両者に繋がる中継点Ｆが、クロック信号を通信路＃５に中継する。
終点監視点の属性を付与されたノード＃４は、通信路＃３が接続される受信点Ｒにて受信したクロック信号を通信路＃４と接続される送信点Ｔに対して、両者を接続する折り返し点Ｌが、通信路＃４に対して折り返し転送する。
【００４１】
このような監視準備状態をノード１０に設定することで、クロック信号の品質測定を同区間で何度も行う必要がある場合、監視準備状態を維持したまま、品質測定の実行のみを繰り返すことができるようになり、品質測定の時間短縮、ノード設定付加の低減が可能となる。これにより、大規模な周波数同期網の品質監視機能を低コストな装置構成で実現できる。
【００４２】
さらに、上記の監視準備状態の設定処理が全て完了し、監視準備状態となった後、測定開始トリガの検出を以って、クロック信号の品質測定が実行される。始点監視点を備えるノード＃１において検出されると、通信路＃１に対して供給したクロック信号と、通信路＃６から受信した信号から抽出したクロック信号について、予め設定された品質指標を予め設定された観測時間だけ測定し、値を比較する。この際、比較した結果、両者の値の差が予め設定された閾値より大きい場合は、警報メッセージを通信網管理装置２０に対して送信しても良い。もしくは、測定結果を保存し、通信網管理装置２０からの問い合わせメッセージに応じて、通信網管理装置２０に結果を通知しても良い。
【００４３】
なお、通信路に送信点Ｔにより伝送される物理信号に、クロック信号と共にクライアントデータが転送されていても良い。また、転送されていないタイミングであってアイドル状態の物理信号にクロック信号を重畳することで、クロック信号のみ転送することができる。これにより、ユーザの帯域を消費することなくクロック信号配信品質監視を実施することができる。
【００４４】
なお、本発明における通信路とは、光ファイバ、ツイストペアケーブル、同軸ケーブル、無線、およびそれら通信路の中の特定周波数チャネル、偏波チャネル（光ファイバの場合）などを利用して構成することができる。
【００４５】
（実施形態１）
本発明を実施する通信網において、通信網管理装置２０、ノード１０、通信路は以下のように実現可能である。また、ノード間の物理信号、データ信号の通信には、Ｅｔｈｅｒｎｅｔを適用する。
【００４６】
通信網管理装置２０は、記憶装置を備えた汎用の計算機に本発明のクロック同期網の品質監視方法を実行するソフトウェアを実装することにより実現される。
通信路は、ノード１０の備えるＩＦ規格に対応した光ファイバにより実現される。
ノード１０は、図３に記載したような構成で実現することができる。
【００４７】
制御計算機１７は、ＣＰＵ及び記憶装置を備え、実装されたソフトウェアにより、ノード１０を制御する機能部であり、論理回路と共に制御機能を実現する。論理回路に対して、終点監視点から折り返し送信されたクロック信号の品質を判定する評価指標を記憶装置に対して設定することができる。また、時間経過に応じて、継続的に品質を測定する場合については、観測時間間隔についても設定する。また、制御メッセージの生成、送信機能を備え、通信路を通じて他ノードにメッセージを送信する機能も備える。
【００４８】
品質評価指標としては、例えば、他のノード１０から取得したクロック信号を基準として以下のワンダやジッタ、周波数に関する評価指標、観測時間および論理回路が品質異常を発出する際の閾値を観測時間毎に指定することができる。
・Ｔｉｍｅ  ｅｒｒｏｒ（ＴＥ）
・Ａｌｌａｎ  ｄｅｖｉａｔｉｏｎ（ＡＤＥＶ）
・Ｍｏｄｉｆｉｅｄ  Ａｌｌａｎ  ｄｅｖｉａｔｉｏｎ（ＭＤＥＶ）
・Ｔｉｍｅ  ｄｅｖｉａｔｉｏｎ（ＴＤＥＶ）
・Ｍａｘｉｍｕｍ  Ｔｉｍｅ  Ｉｎｔｅｒｖａｌ  Ｅｒｒｏｒ（ＭＴＩＥ）
・周波数偏差
【００４９】
閾値については、制御計算機１４と接続される通信網管理装置２０により予め登録される。
また、制御計算機１４は、ノード１０間を接続する通信路である光ファイバ、また、後述する終端装置５２に実装される同期機能部の誤差等から生じるシステム固有の品質劣化期待値（光通信路により伝送する場合の波長分散、偏波分散、環境温度変化に伴う位相変動、他ノード１０のＰＬＬ回路性能）を、事前に上位の通信網管理装置２０より設定することが可能であり、設定されたシステム既存の劣化情報を差し引いて閾値を設定することもできる。また、通信網管理装置２０から閾値を設定する際、制御計算機１４は、あらかじめこの劣化期待値を差し引いてから制御パッケージに登録しても良い。また、制御計算機１４に登録する制御パッケージは、論理回路から通信された、折り返しクロック信号の品質異常を上位の通信網管理装置２０に制御リンクを通じて通知する。
【００５０】
ＩＦ部１１は、他ノードへ接続するためのＩＦ機能部であり、通信路である光ファイバへ接続される。Ｅｔｈｅｒｎｅｔの物理信号の物理的終端機能を備え、送信点Ｔ、受信点Ｒの機能の一部を実現する。例えばＭＳＡ企画である、ＳＦＰ、ＸＦＰ、ＳＦＰ＋、ＣＦＰ、ＱＳＦＰ等のプラガブルトランシーバを利用することができる。ＩＦ部１１は接続される光ファイバ毎に実装される。
【００５１】
ＰＨＹ終端部１２は、通信路（光ファイバ）を通して伝送されるＥｔｈｅｒｎｅｔ信号の論理的終端機能を実現するデバイス部であり、送信点Ｔ、受信点Ｒの機能の一部を実現する。ＩＥＥＥ８０２．３規定のＥｔｈｅｒｎｅｔ  ＰＨＹ機能を実現するＩＣにより実現される。接続される光ファイバの方路毎に実装される。
【００５２】
論理回路１３は、通信網管理装置２０から制御計算機１４を介して指定された指標に従い、複数のクロック信号を比較し、品質の差分を判定する論理を実装した論理回路である。ＦＰＧＡ等により実現される。本実施形態では、以下の入力を比較することができる。
・ＰＨＹ終端部１２において受信した信号から抽出したクロック信号
・ＰＬＬ回路１５から出力されるクロック信号
【００５３】
クロック信号源１６は、ＴＣＸＯの発振器や、外部クロック信号源３０に同期するＰＬＬ回路等で実現される。
【００５４】
ＰＬＬ回路１５は、入力されたタイミング情報（クロック信号）に同期した周波数のタイミング情報を出力する回路部である。以下のクロック信号を入力し、同期対象のクロック信号を選択することができる。
・各ＰＨＹ終端部１２で受信した信号から抽出したクロック信号
・クロック信号源１６から供給されるクロック信号
また、入力信号に同期したクロック信号を各ＰＨＹ終端部１２への供給機能を実現する。
【００５５】
前述の図３に示す原理構成図上の各機能部の機能は以下のように実現される。
挿入点Ｓのクロック信号挿入動作では、ＰＬＬ回路１５から出力されたクロック信号がＰＨＹ終端部１２に供給され、ＰＨＹ終端部１２においてＥｔｈｅｒｎｅｔ信号の物理信号に対してクロック信号が重畳される。
抽出点Ｅのクロック信号抽出動作では、ＰＨＹ終端部１２が、ＩＦ部１１において受信したＥｔｈｅｒｎｅｔ信号の物理信号からクロック信号を抽出する。
送信点Ｔのクロック信号送信動作では、ＩＦ部１１のトランシーバからＰＨＹ終端部１２から渡された物理信号が通信路に送信される。クロック信号が物理信号に重畳されている場合は、物理信号の送信に伴ってクロック信号も送信される。
受信点Ｒのクロック信号受信動作では、通信路を介して送信されてきた物理信号をＩＦ部１１にて受信する。受信した物理信号にクロック信号が重畳されていた場合は、物理信号の受信に伴ってクロック信号も受信される。
中継点Ｆのクロック信号中継動作では、通信方路毎（光ファイバ毎）に実装されるＰＨＹ終端部１２それぞれが論理回路１３に接続されるよう実装され、論理回路１３において、任意のＰＨＹ終端部１２を接続してＥｔｈｅｒｎｅｔ信号を中継させる。
折り返し点Ｌのクロック信号折り返し動作では、ＰＨＹ終端部１２において受信信号から抽出したクロック信号をＰＬＬ回路１５に入力し、ＰＬＬ回路１５がその入力信号に同期したクロック信号を出力し、再度抽出元のＰＨＹ終端部１２に出力クロック信号を供給する。ＰＨＹ終端部１２が送信物理信号にクロック信号を重畳する。
【００５６】
制御計算機１７に実装されるソフトウェア（ファームウェア）により、上記の動作に対応した管理上の制御監視点が定義され、それぞれの動作を行う制御監視点に対して識別子と属性情報が付与される。付与された識別子を指定した動作制御トリガが生じた場合には、機能部の種別に応じて上述の装置制御の実行、または実行状態の解除が行われる。
【００５７】
リンク毎にクロック信号の供給品質を監視する例をノード＃１〜ノード＃４を光ファイバで接続した図４の通信網を用いて示す。ＩＦは送受信機能を備え、光ファイバは送信方向、受信方向それぞれの光ファイバをペアとしている。ノード＃１が外部クロック信号源３０からクロック信号を取得し、ノード＃４まで供給する通信網である。
【００５８】
図４のような通信網において、各制御監視点が図５及び図６のように定義され識別子が管理される。送信点Ｔ、受信点Ｒ、挿入点Ｓ及び抽出点Ｅは、図５に示すように、各ノード１０のＩＦ毎に定義される。中継点Ｆ及び折り返し点Ｌは、図６に示すように、送信点Ｔ及び受信点Ｒの組み合わせ毎に定義される。図７に図４の通信網上に論理的に定義される各ノードの制御監視点を図示した。
【００５９】
ここで、通信網上で各ファイバペア毎に監視区間を設定する例を示す。
まず、監視動作の実行の前に、監視区間の定義、監視区間への制御監視点の割り当てと、属性（始点監視点、中継監視点、終点監視点）の付与が実施される。
【００６０】
図８のような３つの監視区間＃１〜３を設定する。監視区間には通信網中で一意に識別可能な識別子が与えられ、通信網管理装置２０で保持される。また、各ノード１０は自ノードが関与する監視区間の識別子を制御機能部１７で保持する。
【００６１】
監視区間＃１〜＃３に図１０の通りに制御監視点を割り当てる。また、各監視区間中の属性（始点監視点、中継監視点、終点監視点）情報についても、図９のように監視区間中の各制御監視点に付与される。本実施形態の場合は、中継監視点に属する制御監視点は設定しない。
【００６２】
上記の通り、監視区間の論理設定を通信網管理装置２０および各ノード１０の制御機能部１７で実施した後、通信網管理装置２０もしくは監視区間の始点監視点を備えるノード１０からの監視準備状態設定トリガを与えることで、各制御監視点が監視準備状態（監視のためのクロック折り返し動作実行状態）となる。監視準備状態となると、指定された監視区間で、制御監視点に対応する各ノード１０のハードウェア（各機能部）がクロック信号の折り返し監視状態となる。
【００６３】
監視準備状態設定トリガとしては以下が利用可能である。
・通信網管理装置２０からの制御メッセージ
・他ノードからの制御メッセージ
・各ノードの制御機能部１７にコンソールから与えられた制御コマンド
【００６４】
図８の例では各制御監視点は、図１１、図１２及び図１３のような状態となり、クロック信号の供給ルートは、図１０の破線に示した通りの供給状態となる。なお、ノード＃２の中継点Ｆ＃４、ノード＃３の中継点Ｆ＃６は、クロック供給を開始した時点で、クロック信号中継の実行状態となっている。
【００６５】
また、監視準備状態の設定とともに、クロック信号の測定パラメータが設定される。本実施形態では以下の項目が通信網管理装置２０により、各監視区間（監視区間＃１〜＃３）の始点監視点を備えるノード１０（ノード＃１〜＃３）に対して通知され設定される。
・監視パラメータ：周波数偏差
・観測時間：１秒
・異常判定閾値：３ｐｐｍ
【００６６】
この状態で、監視区間の始点監視点を備えるノードの制御機能部１７に、品質測定トリガが通知されると、始点監視点を備えるノード１０にて、挿入点Ｓから挿入したクロック信号と、抽出点Ｅから抽出したクロック信号について、クロック信号の品質が測定される。
【００６７】
品質測定実行トリガとしては以下が利用可能である。
・通信網管理装置２０からの制御メッセージ
・他ノードからの制御メッセージ
・各ノードの制御機能部１７にコンソールから与えられた制御コマンド
【００６８】
例えば、監視区間＃１の始点監視点であるノード＃１にて、品質測定実行トリガが検出された場合は、ノード＃１において、挿入点Ｓ＃２にて挿入しているクロック信号の周波数ｆ０と、抽出点Ｅ＃２にて抽出しているクロック信号の周波数ｆ１が測定され比較される。ｆ０とｆ１を指定された１秒間観測し結果が通信網管理装置２０に通知される。周波数偏差が、閾値である３ｐｐｍ以内であれば、品質正常を伝える通知が、閾値である３ｐｐｍを超えた偏差が生じた場合は、異常状態を伝える通知が通信網管理装置２０に対して送信される。なお、このような観測品質指標は複数同時に設定することも可能であり、品質実行トリガは複数種別があり、観測可能な品質指標毎に設けられる。
【００６９】
さらに、上記の品質測定トリガをスケジュールに従って生成し、品質を常時監視することもできる。例えば、３０秒毎に品質測定を実施する命令を含んだ制御メッセージを通信網管理装置２０から、監視区間＃１の始点監視点を備えるノード＃１の制御機能部１７に通知し、３０秒毎に観測結果を通信網管理装置２０に通知する。正常な場合は通知を省略してもよい。このような方法によって、定常的に通信網を監視することができる。
【００７０】
なお、監視準備状態の設定、品質測定の実行は、図１４及び図１５に示すような制御メッセージシーケンスで実施することができる。例えば、図１４に示すように、通信網管理装置２０から各始点監視点に向けて、制御メッセージを送信する。また、図１５に示すように、ノード間で自律的に制御メッセージを交換することによって、各始点監視点に制御メッセージを送信してもよい。図１４に示す方法を採用した場合、図１５に示す方法と比較して、ノードの制御機能の規模を単純化することができる。一方、図１５に示す方法を採用した場合、図１４に示す方法と比較して、通信網管理装置２０の負荷を低減できるため、より大規模な通信網に対応することができる。
【００７１】
なお、データを送信する通信規格として、ＥｔｈｅｒｎｅｔではなくＭＰＬＳ−ＴＰを利用することもできる。
【００７２】
以上説明したように、本実施形態に係るシステムは、始点ノードをマスターノードとし、中継ノード及び終点ノードをスレーブノードとすれば、マスターノードからスレーブノードに供給したクロック信号が、目的のスレーブノードまで正常に供給され、かつスレーブノードにおいて正常に抽出されていることをマスターノードにおいて確認することができる。ここで、本実施形態に係るシステムでは、各制御監視点の制御を行うことでクロック信号の配信先を制御するため、クロック信号に配信先を含める必要がない。このため、データ通信帯域を消費せずに、スレーブノードのクロック受信状況をマスターノードに通知することができる。したがって、本実施形態に係るシステムは、データ通信帯域を消費せずに、スレーブノードのクロック抽出状況をマスターノードにおいて確認することができる。
【００７３】
また、本実施形態に係るシステムでは、監視区間ごとに品質判定機能を有していれば足りるため、全ノードが品質判定機能を備える必要はない。これにより、スレーブノードの参照用信号を省略することができるため、同期通信網のコストを削減することができる。また、マスターノードのもつ高性能なクロック信号源を用いて品質の判定を行うことができるため、ノード間の同期精度を高めることができる。
【００７４】
（実施形態２）
図１６に、本実施形態に係る監視区間の設定例を示す。本実施形態では、監視区間＃４のように、複数ノードを跨いだ監視区間を設定し、かつ、監視区間中の折り返し点Ｌを複数の候補からその都度指定して、監視区間中の任意の折り返し点Ｌで品質監視を行う実施形態も可能である。この場合、監視区間＃４に対して、図１７に記載したように制御監視点を関連付けして、監視区間の論理設定を行う。
【００７５】
その後、各ノードで監視準備状態を構成する際の監視準備状態設定トリガとなる制御メッセージ、コマンドに、折り返し点Ｌ＃３、Ｌ＃５及びＬ＃７の何れの制御監視点で折り返しを行うか情報を付与する。
【００７６】
なお、折り返し点Ｌを指定する際に、該当区間中の中継監視点の識別子、もしくは、終点監視点の識別子を指定することで折り返しする折り返し点Ｌを指定することもできる。上記のように折り返し点Ｌを、それぞれ図１８、図１９、図２０のように各ノードの制御監視点を設定する。この３パターンの監視準備状態のそれぞれの場合のクロック供給経路は図２１、図２２、図２３の通りとなる。
【００７７】
上記のように監視準備状態設定トリガのパラメータを指定することで、折り返しする折り返し点Ｌを任意に設定することができる。これにより、品質判定が必要なノード１０に高信頼な品質比較用のリファレンスが無い場合でも、高信頼なリファレンスを持つ他ノード１０において、所望の監視区間で品質判定を行うことができる。また、この場合、品質測定トリガは、監視準備状態設定トリガと同時に生成し、各ノード１０が監視準備状態となった後、直ちに品質測定を、始点監視点を備えるノード＃１で開始してもよい。
【００７８】
（実施形態３）
図２４に、本実施形態に係る監視区間の設定例を示す。本実施形態では、通信網中で、参照する外部クロック信号源３０が複数存在する場合、同一クロックを参照する領域であるクロックドメイン毎に監視区間を設定する。
【００７９】
実施形態１及び実施形態２と同様の手法で、監視区間に合わせた監視準備状態を設定し、監視準備状態のクロック供給経路は図２５のようになる。また、各監視区間で異なった監視区間、監視項目、異常判定閾値、監視時間を設定する。
【００８０】
クロックドメイン毎に監視区間を設定することで、各クロックドメインのクロックソースの精度に応じた品質監視基準、品質監視方法を設定することができる。
【００８１】
（実施形態４）
図２６に、本実施形態に係る通信網の一例を示す。本実施形態では、実施形態１〜実施形態３で説明したノード１０をリング状に接続し、始点監視点と終点監視点を同一ノード（ノード＃１）が備える。
【００８２】
実施形態１、実施形態２と同様の手法で、監視区間に合わせた監視準備状態を設定し、監視準備状態のクロック供給経路は図２７のようになる。クロック信号を送信したノードが、別の通信ＩＦから、リングを一周する形で伝送されたクロック信号を受信し、送信したクロック信号と受信したクロック信号の比較を行う。
【００８３】
このような実施形態をとることで、装置機能としてクロック信号の折り返し機能、つまり折り返し点Ｌを備えていないノード１０を利用した場合でも、本発明の方法が実施可能となる。
【００８４】
（実施形態５）
また、本発明を図２８のような通信網構成で実施することもできる。
端局装置５１は、外部からクロック信号の供給を受けるノードであり、監視区間の始点となる。
【００８５】
クロック信号は端局装置５１から終端装置５２に供給され、さらに終端装置５２で中継され、回線エミュレーション装置５３へ供給される。回線エミュレーション装置５３では、受信したクロック信号を終端装置５２へ折り返す。終端装置５２は折り返し送信されたクロック信号を端局装置５１に中継する。実施形態１、実施形態２と同様の手法で、監視区間に合わせた監視準備状態を設定し、監視準備状態のクロック供給経路は図２９のようになる。
【００８６】
回線エミュレーション装置５３は、周波数同期を行い通信を行うことのできるＳＤＨ／ＳＯＮＥＴ、ＡＴＭ等の回線をＥｔｈｅｒｎｅｔ上でエミュレーションする機能を有する。これにより、測定した折り返しクロック信号の品質情報から、回線エミュレーション装置５３が提供するエミュレーション回線の品質を推定することができるようになる。
【００８７】
（実施形態６）
本実施形態では、端局装置５１と終端装置５２により回線を構成される通信網への適用例を示す。端局装置は回線終端部にあるノードであり、それぞれ異なった地点に配備される。端局装置は、回線終端装置からの通信路を一つの局に集約するノードであり、各終端装置に対応した通信パッケージを備える。図３０に示すように、端局装置５１において回線毎の通信パッケージ６−１、６−２、・・・、６−Ｎを設け、回線毎の終端装置５２−１、５２−２、・・・、５２−Ｎを設け、通信パッケージ６−１、６−２、・・・、６−Ｎに共通の制御パッケージ６１において、ＰＬＬ回路１５、クロック分配機能部６１２及び論理回路１３を実装する。本実施形態では実施形態１記載の監視区間が各通信パッケージと終端装置のペア毎に、つまり回線毎に設定される。
【００８８】
実施形態１〜５では、各回線が、他のノードから個別にクロック信号を取得する。本実施形態では、制御パッケージ６１のＰＬＬ回路１５が、代表でクロック信号を取得し、各回線が、制御パッケージ６１のＰＬＬ回路１５の出力を共有する。
【００８９】
実施形態１〜５では、品質判定用の論理回路１３を、各回線が所有する。本実施形態では、品質判定用の論理回路１３を、各回線毎の監視区間で共有する。このように、機能部を複数回線で共有することで、複数回線提供時のシステムコストを低減することができる。
【００９０】
制御パッケージ６１の論理回路１３は、外部クロック信号源３０から供給されたクロック信号を入力するとともに、各終端装置５２−１、５２−２、・・・、５２−Ｎから各通信パッケージ６−１、６−２、・・・、６−Ｎへと折り返されたクロック信号を入力する。
【００９１】
制御パッケージ６１の記憶装置（不図示）は、各回線で折り返されたクロック信号を、各回線の通信パッケージ６−１、６−２、・・・、６−Ｎの識別子と対応付けて格納している。制御パッケージ６１の論理回路１３は、各回線で折り返されたクロック信号と外部クロック信号源３０から供給されたクロック信号を比較し、品質判定を行う。
【００９２】
通信網管理装置２０は、回線毎に、品質評価指標及びその閾値を設定する。制御パッケージ６１の論理回路１３は、回線毎に、クロック信号の品質監視を行う。
【００９３】
以下の説明では、Ｍを１からＮまでの整数として、通信パッケージ６−Ｍ及び終端装置５２−Ｍを含む回線について、構成及び処理を説明する。
【００９４】
通信パッケージ６−Ｍは、ＳＮＩ−ＩＦ６２−Ｍ、ＯＳＵ−ＩＦ６３−Ｍ、ＰＨＹ終端部６４−Ｍ、６５−Ｍ、論理回路６６−Ｍから構成される。
【００９５】
終端装置５２−Ｍは、ＯＮＵ−ＩＦ７２−Ｍ、ＵＮＩ−ＩＦ７３−Ｍ、ＰＨＹ終端部７４−Ｍ、７５−Ｍ、論理回路７６−Ｍ及びＰＬＬ回路７７−Ｍから構成される。
ＳＮＩ−ＩＦ、ＯＳＵ−ＩＦ、ＯＮＵ−ＩＦ、ＵＮＩ−ＩＦはそれぞれ他ノードへ接続するためのＩＦ機能部であり、通信路である光ファイバへ接続される。
【００９６】
通信パッケージ６−Ｍ及び終端装置５２−Ｍは、光ファイバ８−Ｍを介して接続される。
【００９７】
クロック信号は、以下の経路で、終端装置５２−１、５２−２、・・・、５２−Ｎを経由して、通信パッケージ６−１、６−２、・・・、６−Ｎに折り返される。
【００９８】
１）制御パッケージ６１のＰＬＬ回路１５において、外部クロック信号源３０から供給されたクロック信号に同期したクロック信号を生成する。
２）制御パッケージ６１のクロック分配機能部６１２において、ＰＬＬ回路１５から供給されたクロック信号を、通信パッケージ６−ＭのＰＨＹ終端部６５−Ｍに分配する。
３）通信パッケージ６−ＭのＰＨＹ終端部６５−Ｍにおいて、ＰＬＬ回路１５から供給されたクロック信号を重畳された物理信号を、ＯＳＵ−ＩＦ６３−Ｍ及び光ファイバ８−Ｍを介して、終端装置５２−ＭのＯＮＵ−ＩＦ７２−Ｍに送信する。
４）終端装置５２−ＭのＰＨＹ終端部７４−Ｍにおいて、ＯＮＵ−ＩＦ７２−１から入力された物理信号から、ＰＬＬ回路１５から供給されたクロック信号を抽出する。
５）終端装置５２−ＭのＰＬＬ回路７７−Ｍにおいて、ＰＨＹ終端部７４−Ｍから供給されたクロック信号に同期したクロック信号を生成する。
６）終端装置５２−ＭのＰＨＹ終端部７４−Ｍにおいて、ＰＬＬ回路７７−Ｍから供給されたクロック信号を重畳された物理信号を、ＯＮＵ−ＩＦ７２−Ｍ及び光ファイバ８−Ｍを介して、通信パッケージ６−ＭのＯＳＵ−ＩＦ６３−Ｍに送信する。
７）通信パッケージ６−ＭのＰＨＹ終端部６５−Ｍにおいて、ＯＳＵ−ＩＦ６３−Ｍから入力された物理信号から、ＰＬＬ回路７７−Ｍから供給されたクロック信号を抽出し、制御パッケージ６１の論理回路１３に出力する。
８）制御パッケージ６１の論理回路１３において、ＰＨＹ終端部６５−Ｍから供給されたクロック信号に対して、品質判定を行う。
【００９９】
クロック信号の品質監視は、回線毎の品質評価指標及びその閾値に基づいて行なわれることを除いて、実施形態６であっても、実施形態１〜５と同様に行なわれる。
【０１００】
このように、本実施形態に係るクロック品質管理システムは、集約拠点の外部クロック信号源３０を複数回線で共用し、有効活用することができる。
【０１０１】
（実施形態７）
実施形態１〜６において、監視区間をＩＴＵ−Ｔ  Ｙ．１７３１のＥｔｈｅｒｎｅｔ  ＯＡＭ（Ｅｔｈｅｒｎｅｔ  ｏｐｅｒａｔｉｏｎｓ，ａｄｍｉｎｉｓｔｒａｔｉｏｎ，ｍａｉｎｔｅｎａｎｃｅ）に基づいて定義することも可能である。
例えば、始点監視点、終点監視点はＭＥＰ（Ｍａｉｎｔｅｎａｎｃｅ  Ｅｎｄ  Ｐｏｉｎｔ）として、中継監視点はＭＩＰ（Ｍａｉｎｔｅｎａｎｃｅ  Ｉｎｔｅｒｍｅｄｉａｔｅ  Ｐｏｉｎｔ）として管理する。さらにＭＥＰの内、始点監視点と終点監視点の識別が可能な属性情報を拡張追加する。監視区間を識別するＩＤはＹ．１７３１のＭＥＧ（Ｍａｉｎｔｅｎａｎｃｅ  Ｅｎｔｉｔｙ  Ｇｒｏｕｐ）−ＩＤとなる。このような方法を利用することで、既存のＯＡＭ機能の制御機構を流用し、他の一般的なＯＡＭ制御との機能整合をとることができる。
【産業上の利用可能性】
【０１０２】
本発明は情報通信産業に適用することができる。
【符号の説明】
【０１０３】
１０：ノード
１１：ＩＦ部
１２：ＰＨＹ終端部
１３：論理回路
１４：制御計算機
１５：ＰＬＬ回路
１６：クロック信号源
１７：制御機能部
２０：通信網管理装置
３０：外部クロック信号源
５１：端局装置
５２：終端装置
５３：回線エミュレーション装置
【図１】
2014060539.tif 000003
【図２】
2014060539.tif 000004
【図３】
2014060539.tif 000005
【図４】
2014060539.tif 000006
【図５】
2014060539.tif 000007
【図６】
2014060539.tif 000008
【図７】
2014060539.tif 000009
【図８】
2014060539.tif 000010
【図９】
2014060539.tif 000011
【図１０】
2014060539.tif 000012
【図１１】
2014060539.tif 000013
【図１２】
2014060539.tif 000014
【図１３】
2014060539.tif 000015
【図１４】
2014060539.tif 000016
【図１５】
2014060539.tif 000017
【図１６】
2014060539.tif 000018
【図１７】
2014060539.tif 000019
【図１８】
2014060539.tif 000020
【図１９】
2014060539.tif 000021
【図２０】
2014060539.tif 000022
【図２１】
2014060539.tif 000023
【図２２】
2014060539.tif 000024
【図２３】
2014060539.tif 000025
【図２４】
2014060539.tif 000026
【図２５】
2014060539.tif 000027
【図２６】
2014060539.tif 000028
【図２７】
2014060539.tif 000029
【図２８】
2014060539.tif 000030
【図２９】
2014060539.tif 000031
【図３０】
2014060539.tif 000032